(57)【要約】【課題】未使用時には、内壁を速やかに乾燥させることができ、部屋の任意の位置に設置することができるシャワーブースを提供する。【解決手段】シャワー未使用時に二方向の面を開放可能で、少なくとも一方向に壁面を有し自立させて設置できるように構成され、室内面の少なくとも底面にシャワー吐水口５，５が設けられている。【選択図】図１
2007277870.tif 000002
【特許請求の範囲】
【請求項１】
シャワー未使用時に二方向の面を開放可能で、少なくとも一方向に壁面を有し自立させて設置できるように構成したことを特徴とするシャワーブース。
【請求項２】
シャワーブースの室内面の少なくとも底面にシャワー吐水口が設けられていることを特徴とする請求項１に記載のシャワーブース。
【請求項３】
前記シャワー吐水口及びその操作部をシャワーブース室内面から突出することなく、シャワーブース室内面と略面一状に設けたことを特徴とする請求項１または請求項２に記載のシャワーブース。
【請求項４】
シャワー未使用時には前記壁面内に収納可能であり、シャワー使用時には引き出して前記二方向の面を仕切ることができる遮蔽材を備えたことを特徴とする請求項１または請求項２または請求項３に記載のシャワーブース。
【請求項５】
前記遮蔽材は、前記二方向の面を仕切った状態で、その下端が前記底面に凹状に形成された排水溝内に配置されることを特徴とする請求項４に記載のシャワーブース。
【発明の詳細な説明】
【技術分野】
【０００１】
本発明は、シャワーブースに関するものである。
【背景技術】
【０００２】
従来、特許文献１に開示されているように、シャワー器具が付設されたパーティーションを、天井材により部屋の壁に連結させて自立させ、パーティーションと壁間にシャワー室を形成したものが存在する。
【特許文献１】特開２００５−１４６７０４号公報
【発明の開示】
【発明が解決しようとする課題】
【０００３】
特許文献１に開示されているようなシャワー室は、単独では自立しないものであり、壁面に連結させる必要があるため、任意の位置、例えば部屋の中央付近等に設置することはできないものであった。
【課題を解決するための手段】
【０００４】
本発明は上記従来の問題点に鑑み案出したものであって、自立させて任意の位置に設置することができ、しかも、速やかに内部を乾燥させることのできるシャワーブースを提供するものであり、その請求項１は、シャワー未使用時に二方向の面を開放可能で、少なくとも一方向に壁面を有し自立させて設置できるように構成したことである。
【０００５】
また請求項２は、シャワーブースの室内面の少なくとも底面にシャワー吐水口が設けられていることである。
【０００６】
また請求項３は、前記シャワー吐水口及びその操作部をシャワーブース室内面から突出することなく、シャワーブース室内面と略面一状に設けたことである。
【０００７】
また請求項４は、シャワー未使用時には前記壁面内に収納可能であり、シャワー使用時には引き出して前記二方向の面を仕切ることができる遮蔽材を備えたことである。
【０００８】
また請求項５は、前記遮蔽材は、前記二方向の面を仕切った状態で、その下端が前記底面に凹状に形成された排水溝内に配置されることである。
【発明の効果】
【０００９】
本発明のシャワーブースは、シャワー未使用時に二方向の面を開放可能で、少なくとも一方向に壁面を有し自立させて設置できるように構成したことにより、風通しの良い部屋の中央付近等の任意の位置に設置することができ、しかも二方向の面が開放可能であるため、開放させて速やかにブース内を乾燥させることができ、カビの発生等を良好に防止できるものとなる。
【００１０】
また、シャワーブースの室内面の少なくとも底面にシャワー吐水口が設けられていることにより、底面のシャワー吐水口からシャワー水を噴出させて、足元を良好に温めることができ、また、足裏を良好にマッサージできるものとなる。
【００１１】
また、前記シャワー吐水口及びその操作部をシャワーブース室内面から突出することなく、シャワーブース室内面と略面一状に設けたことにより、シャワーブース室内面から突出するものがないため、シャワーブース室内面に付着した水分を容易に拭き取ることができ、また、使用時にシャワーブース室内面に凭れ掛かる等しても、突出部がないため身体に突出部が当たることがなく、室内面に凭れて楽な姿勢でシャワーを浴びることができるものとなる。
【００１２】
また、シャワー未使用時には前記壁面内に収納可能であり、シャワー使用時には引き出して前記二方向の面を仕切ることができる遮蔽材を備えたことにより、シャワー使用時には遮蔽材により二方向の面を仕切って内部で良好にシャワーを浴びることができ、また、遮蔽材を壁面内に収納可能であるため、シャワー未使用時は二方向の面を開放させて、良好に内部を乾燥させて清潔に保持することができ、また遮蔽材は壁面から突出しないために、壁面に凸部が存在しないこととなり、良好に壁面の水分等を拭き取ることができるものとなる。
【００１３】
また、前記遮蔽材は、前記二方向の面を仕切った状態で、その下端が前記底面に凹状に形成された排水溝内に配置されることにより、シャワー使用時には遮蔽材の下端が排水溝内に配置されているため、外側へ流れる水を良好に遮蔽材で遮って排水溝内に誘導することができ、外部への水漏れを良好に防止することができ、さらに水蒸気や細かい水滴が外部に漏れ出すのを良好に防ぐことができるものとなる。
また、排水溝は凹状に形成されているため、足裏に突出部が当たることがなく、しかも底面を容易に拭き取ることができるものとなる。
【実施例】
【００１４】
以下、本発明の実施例を図面に基づいて説明する。
図１は、シャワーブースの斜視構成図であり、このシャワーブース１は略縦長のロ型に形成されて、対向する二方向の面が開放されたものとなっており、左右の側面２ａ，２ｂと、底面３と、天井面４でシャワーブース室内面が形成されており、底面３側は水平であるため、任意の位置に自立させて設置できるものである。
例えば、部屋の中央部に自立させて設置することもでき、また、側面２ａ，２ｂ間の幅と同じ幅の通路にも自立させて設置することができるものである。
このシャワーブース１の室内面を構成する前記側面２ａ，２ｂ，底面３及び天井面４には、それぞれ複数の吐水ノズル５，５，５が設けられており、各吐水ノズル５，５からシャワー水を噴出させることができるように構成されている。
【００１５】
各吐水ノズル５は、シャワーブース１の室内面とほぼ面一状をなすように、埋め込み状に設けられており、吐水ノズル５が室内面から突出することはないために、室内面に凭れ掛かっても吐水ノズル５が背中等に当たることはなく、図２のような状態で側面２ａ，２ｂに凭れ掛かった状態で全身にシャワーを浴びることができるものでる。
【００１６】
なお、図３は、底面３側及び左右の側面２ａ，２ｂの下部部位のみを拡大して示した斜視図であり、また図４は、天井面４側及び側面２ａ，２ｂの上部のみを拡大して示したものである。
天井面４には複数の吐水ノズル５と共に、スリット状に照明装置６が複数平行に設けられており、この照明装置６は、それぞれスリットの上方側に複数のＬＥＤを配列して形成したものであり、天井面４から突出しないようにほぼ面一状に設けられている。
なお、このシャワーブースには対向する二方向の開放面側に、それぞれ底面３には凹状に排水溝８が形成されており、また排水溝８から側面２ａ，２ｂに向かって縦方向に挿入溝９，収納溝１０がそれぞれ形成され、挿入溝９は天井面４側にも連続形成されている。
【００１７】
また、例えば側面２ｂ側には使用者の尻が当たる部分に、水平方向に枕状の尻当て部材７が設けられており、シャワーを使用する際に、この枕状の尻当て部材７に尻を載せて側面２ｂに寄り掛かった状態でリラックスしてシャワーを浴びることができるように構成されている。なお、尻当て部材７はクッション性の有する独立気泡性の素材で形成させておくことができる。
【００１８】
なお、各吐水ノズル５は、図６の斜視図で示すような吐水ユニット５０に複数設けられたものとなっており、吐水ユニット５０は、吐水ノズル５を備えた配管を枠状に組み付けて形成したものであり、給水口５０ａを備えている。
このような吐水ユニット５０は図５の概略図で示すように、それぞれの吐水ユニット５０が底面３，側面２ａ，２ｂ及び天井面４の内壁内に隠蔽状に設けられており、それぞれの吐水ユニット５０の給水口５０ａには、それぞれ給水配管が接続されており、図５では、湯を供給する湯管１１と水を供給する水管１２が混合バルブ１３に接続されており、この混合バルブ１３内で適温に調整されるものであり、混合バルブ１３の下流側に開閉弁１４ａ，１４ｂ，１４ｃが設けられており、開閉弁１４ａは底面３の吐水ユニット５０に接続されており、開閉弁１４ｂは左右の側面２ａ，２ｂ側の吐水ユニット５０に接続されており、また開閉弁１４ｃは天井面４の吐水ユニット５０に接続されて構成されている。
【００１９】
なお、シャワーブース１の側面２ａまたは２ｂの何れかの内壁面に図７に示すような操作部１５が設けられており、この操作部１５はタッチスイッチで構成されて、室内面からは突出することがないように構成されている。
図７では、操作部１５は、側面スイッチ１５ａと天井スイッチ１５ｂと底スイッチ１５ｃを備え、側面スイッチ１５ａを指で押してオンした時には、前記図５の開閉弁１４ｂが開かれて側面２ａ，２ｂからシャワー水が噴出されるものであり、また天井スイッチ１５ｂをオンした時には、開閉弁１４ｃが開かれて天井面４からシャワー水が噴出されるものであり、また底スイッチ１５ｃをオンした時には開閉弁１４ａが開かれて底面３からシャワー水が噴出されるものであり、図中１６で示す吐水箇所表示部に何れの面からシャワー水が噴出されているかを表示することができるように構成されている。
【００２０】
また、温度スイッチ１５ｄが設けられており、この温度スイッチ１５ｄは、指で押したまま水平方向に移動させて、シャワー水の温度を調整できるものである。即ち混合バルブ１３の混合量を調整できるものである。更に流量調整スイッチ１５ｅが設けられており、この流量調整スイッチ１５ｅも指で押さえて水平方向に移動させることで、シャワー水の噴出される勢いを調整できるように構成されている。
【００２１】
従って、本例では、底スイッチ１５ｃをオンして底面３側のみからシャワー水を噴出させることもでき、また、天井スイッチ１５ｂをオンして天井面４側のみからシャワー水を噴出させることもでき、また、側面スイッチ１５ａをオンして側面２ａ，２ｂからシャワー水を噴出させることもでき、また、側面スイッチ１５ａ及び天井スイッチ１５ｂ及び底スイッチ１５ｃを全てオンして、側面２ａ，２ｂ，底面３，天井面４の全てから同時にシャワー水を噴出させることもでき、この場合は全身にシャワー水を浴びることができるものである。
【００２２】
なお、使用時には、二方向の面を図８に示すように、例えば透明や色付きの遮蔽部材１７で遮蔽してシャワーを浴びることとなるが、この遮蔽材１７は、シャワーブース１の室内面壁内に埋設状に収納できるように構成されており、図９の水平断面拡大図で示すように、シャワーブース１の側面２ｂの壁内に収納空間Ｓを形成させておき、この収納空間Ｓ内にロール状にして遮蔽材１７を収納させることができるものであり、この遮蔽材１７の先端には引き出し部材１８が連結されており、使用しない時には、固定用球爪１９ａを引き出し部材１８の凹部１８ａに係合させて、この引き出し部材１８は側面２ｂに形成されている収納溝１０内に、側面２ｂから突出することなく面一状に収納しておくことができるものである。
なお、対向する側面２ａ側には、挿入溝９が凹状に形成されており、挿入溝９の奥側にはバネ２０が設けられている。また、挿入溝９にも固定用球爪１９ｂが設けられている。
【００２３】
図９に示す収納状態から、引き出し部材１８の先端を指で１回押すと、引き出し部材１８が側面２ｂから飛び出してくるように構成されており、この引き出し部材１８が飛び出た状態で、引き出し部材１８を図１０に示すように、対向する側面２ａ側へ引っ張ってゆくと遮蔽材１７が側面２ａ側に引き出されることとなり、側面２ａ側の挿入溝９内に引き出し部材１８を挿入させて、引き出し部材１８の外周に形成されている凹部１８ａを挿入溝９の固定用球爪１９ｂに係合させることで、引き出し部材１８を挿入溝９内に面一状に固定させることができ、この状態では、遮蔽材１７は図８のように、開放された面を良好に仕切ることができるものである。
【００２４】
なお、底面３には前述したように、凹状に排水溝８が形成されており、図１１の縦断面拡大構成図に示すように、この排水溝８内にはヘアキャッチャー２１を設けておき、遮蔽材１７の下端が排水溝８内に配置されるように構成しておけば、遮蔽材１７で仕切った状態では、遮蔽材１７の下端が排水溝８内にあるため、室内側からの水が遮蔽材１７に当たり排水溝８内に良好に導かれて、排水溝８からヘアキャッチャー２１を通り排水管２２に良好に排水されるものであり、また、水蒸気や水滴も良好に遮蔽材１７で遮断して、外部に漏れることを良好に防ぐことができるものとなる。
なお、排水溝８や挿入溝１９は、内壁から突出しないものであり、しかも複数の吐水ノズル５も内壁から突出せず、室内面と略面一状に設けられているため、良好に室内面を布等で拭き取ることができ、突出部がないため拭き取り作業が容易であり、また突出部が身体に触れることもないため、安心して室内面に凭れてシャワーを浴びることができるものとなる。
【００２５】
また、使用しない時には、遮蔽材１７を図９のように室内面壁内に収納させて、シャワーブース１の二方向を完全に開放させることができ、開放させたシャワーブース１内を風通しの良い状態とすることができ、速やかにシャワーブース１内を乾燥させてカビの発生等を防ぐことができるものとなる。
【００２６】
なお、図１では、縦長ロ型のシャワーブース１を例示したが、二方向が開放されて単独で自立することができるものであれば、例えば図１２に示すように、底面３からアーチ状に側面，天井に至るアーチ面４ａを形成させたものであっても良く、また、図１３に示すように、側面２ａの下部を傾斜させた傾斜側面２ｃを有する形状のものであっても良く、更には、図１４に示すように、天井面４及び底面３を五角形状に形成して、この五角形の各辺に対応する側面２ａ，２ｂ，２ｄを一体状に立設させて、二方向の側面を開放できるように構成することもできる。なお、五角形に限らず六角形等のものであっても良い。
【図面の簡単な説明】
【００２７】
【図１】縦長ロ型のシャワーブースの斜視構成図である。
【図２】図１のシャワーブースの使用状態の正面構成図である。
【図３】図１のシャワーブースの底面側を拡大して示す斜視構成図である。
【図４】図１のシャワーブースの天井面側を拡大して示す斜視構成図である。
【図５】シャワーブースの室内面壁内に設けられている吐水ユニットの配管構成図である。
【図６】吐水ユニットの斜視構成図である。
【図７】シャワーブースの室内面に設けられている操作部の拡大構成図である。
【図８】遮蔽材で開放された二方向の面を遮蔽した状態のシャワーブースの使用状態図である。
【図９】遮蔽材の収納状態を示すシャワーブースの水平断面拡大構成図である。
【図１０】図９の状態から遮蔽材を引き出して仕切った状態の水平断面構成図である。
【図１１】底面側の拡大縦断面構成図である。
【図１２】アーチ面を有するシャワーブースの変更例の斜視構成図である。
【図１３】傾斜側面を有するシャワーブースの変更例を示す斜視構成図である。
【図１４】五角形状の底面及び天井面を有するシャワーブースの変更例を示す斜視構成図である。
【符号の説明】
【００２８】
１  シャワーブース
２ａ，２ｂ，２ｃ，２ｄ  側面
３  底面
４  天井面
４ａ  アーチ面
５  吐水ノズル
６  照明装置
７  尻当て部材
８  排水溝
９  挿入溝
１０  収納溝
１３  混合バルブ
１４ａ，１４ｂ，１４ｃ  開閉弁
１５ａ  側面スイッチ
１５ｂ  天井スイッチ
１５ｃ  底スイッチ
１５ｄ  温度スイッチ
１５ｅ  流量調整スイッチ
１７  遮蔽部材
１８  引き出し部材
１９ａ，１９ｂ  固定用球爪
２１  ヘアキャッチャー
２２  排水管
５０  吐水ユニット
５０ａ  給水口
Ｓ  収納空間
【図１】
2007277870.tif 000003
【図２】
2007277870.tif 000004
【図３】
2007277870.tif 000005
【図４】
2007277870.tif 000006
【図５】
2007277870.tif 000007
【図６】
2007277870.tif 000008
【図７】
2007277870.tif 000009
【図８】
2007277870.tif 000010
【図９】
2007277870.tif 000011
【図１０】
2007277870.tif 000012
【図１１】
2007277870.tif 000013
【図１２】
2007277870.tif 000014
【図１３】
2007277870.tif 000015
【図１４】
2007277870.tif 000016